(57)【要約】【課題】赤色を高彩度に見せることができる光源装置を提供する。【解決手段】光源装置は、複数の波長成分の光を発生する光源を有する。光源は、特殊演色評価用の試験色Ｒ９の色票を照らしたときのＬ*ａ*ｂ*表色系のａ*値とｂ*値が(53，23)、(54，24)、(57，26)、(58，28)、(60，31)、(61，35)、(62，36)、(62，37)、(61，43)、(60，45)、(59，47)、(58，50)、(56，53)、(53，57)、(53，100)、(100，100)、(100，0)、(53，0)の座標で囲まれる領域に含まれ、かつ、Ｌ*値が３７以上となる。【選択図】図１
2016173949.tif 000002
【特許請求の範囲】
【請求項１】
複数の波長成分の光を発生する光源を有する光源装置において、
前記光源は、特殊演色評価用の試験色Ｒ９の色票を照らしたときのＬ*ａ*ｂ*表色系のａ*値とｂ*値が(53，23)、(54，24)、(57，26)、(58，28)、(60，31)、(61，35)、(62，36)、(62，37)、(61，43)、(60，45)、(59，47)、(58，50)、(56，53)、(53，57)、(53，100)、(100，100)、(100，0)、(53，0)の座標で囲まれる領域に含まれ、かつ、Ｌ*値が３７以上となる
ことを特徴とする光源装置。
【請求項２】
複数の波長成分の光を発生する光源を有する光源装置において、
前記光源は、特殊演色評価用の試験色Ｒ９の色票を照らしたときのＬ*ａ*ｂ*表色系のａ*値とｂ*値が(62，36)、(62，37)、(61，43)、(60，45)、(59，47)、(58，50)、(56，53)、(53，57)、(93，100)、(100，100)、(100，58)の座標で囲まれる領域に含まれ、かつ、Ｌ*値が４４以上となる
ことを特徴とする光源装置。
【請求項３】
前記光源は、平均演色評価数Ｒａが８０以上である
ことを特徴とする請求項１または２記載の光源装置。
【請求項４】
前記光源は、相関色温度が３８００Ｋ以下である
ことを特徴とする請求項１ないし３いずれか一記載の光源装置。
【請求項５】
本体と；
前記本体に設けられた請求項１ないし４いずれか一記載の光源装置と；
を具備することを特徴とする照明装置。
【発明の詳細な説明】
【技術分野】
【０００１】
本発明の実施形態は、赤色の見え方がよい光源装置および照明装置に関する。
【背景技術】
【０００２】
従来、高演色を実現する分光分布の光を発生する光源を有する光源装置を用いた例えば電球形ＬＥＤランプ等の照明装置がある。
【０００３】
演色評価のために試験色Ｒ１〜Ｒ１５の色票があり、試験色Ｒ１〜Ｒ８の数値の平均値が平均演色評価数Ｒａとして用いられ、試験色Ｒ９〜Ｒ１５が特殊演色評価数として用いられている。
【０００４】
高演色の指標は一般的に平均演色評価数Ｒａを使用しており、平均演色評価数Ｒａが例えば９０以上であると高演色を実現している。
【０００５】
しかしながら、平均演色評価数Ｒａは、基準の光に対する忠実度を表す指標（上限値は１００）であるため、平均演色評価数Ｒａを指標にすると、基準の光よりも見え方を向上させる分光分布を設計することは困難である。
【先行技術文献】
【特許文献】
【０００６】
【特許文献１】特開２０１３−２０１２７４号公報
【発明の概要】
【発明が解決しようとする課題】
【０００７】
本発明が解決しようとする課題は、赤色を高彩度に見せることができる光源装置および照明装置を提供することである。
【課題を解決するための手段】
【０００８】
実施形態の光源装置は、複数の波長成分の光を発生する光源を有する。光源は、特殊演色評価用の試験色Ｒ９の色票を照らしたときのＬ*ａ*ｂ*表色系のａ*値とｂ*値が(53，23)、(54，24)、(57，26)、(58，28)、(60，31)、(61，35)、(62，36)、(62，37)、(61，43)、(60，45)、(59，47)、(58，50)、(56，53)、(53，57)、(53，100)、(100，100)、(100，0)、(53，0)の座標で囲まれる領域に含まれ、かつ、Ｌ*値が３７以上となる。
【発明の効果】
【０００９】
本発明によれば、赤色を高彩度に見せることが期待できる。
【図面の簡単な説明】
【００１０】
【図１】一実施形態の光源に関して、Ｌ*ａ*ｂ*表色系のａ*値とｂ*値の座標のａ*ｂ*領域Ａを示すグラフである。
【図２】同上光源に関して、Ｌ*ａ*ｂ*表色系のａ*値とｂ*値の座標のａ*ｂ*領域Ｂを示すグラフである。
【図３】同上光源に関して、ａ*ｂ*領域Ａとａ*ｂ*領域Ｂとの関係を示すグラフである。
【図４】実施例１および比較例の分光分布を示すグラフである。
【図５】実施例１および比較例の分光分布から計算したＬ*ａ*ｂ*表色系のａ*値とｂ*値の座標を示すグラフである。
【図６】実施例２および比較例の分光分布を示すグラフである。
【図７】実施例２および比較例の分光分布から計算したＬ*ａ*ｂ*表色系のａ*値とｂ*値の座標を示すグラフである。
【図８】特殊演色評価用の試験色Ｒ９の色票の分光反射率のグラフである。
【図９】照明装置の側面図である。
【発明を実施するための形態】
【００１１】
以下、一実施形態を、図１ないし図９を参照して説明する。
【００１２】
図９は、照明装置10を示す。照明装置10は、例えば電球形ランプである。照明装置10は、本体11の一端に光源装置12が設けられているとともにグローブ13が取り付けられ、本体11の他端側に口金14が取り付けられ、本体11内に電源回路15が収容されている。なお、照明装置10は、電球形ランプに限らず、例えば照明器具等でもよく、照明器具の場合に本体は光源装置12を取り付ける器具本体となる。
【００１３】
光源装置12は、基板17上に光源18としての発光部19が設けられている。光源装置12は、基板17に複数の発光素子としてのＬＥＤチップを実装し、これらＬＥＤチップを蛍光体層で封止することにより、発光部19を形成したＣＯＢ（Chip On Board）モジュールによって構成されている。蛍光体層にはＬＥＤチップからの青色光で励起する蛍光体が含有されており、蛍光体には青色光との混色によって白色照明光を得るための黄色光を放出する黄色蛍光体とともに、演色性を高めるための赤色光を放出する赤色蛍光体等が含まれている。
【００１４】
そして、図１に示すように、光源18は、特殊演色評価用の試験色Ｒ９の色票を照らしたときのＬ*ａ*ｂ*表色系のａ*値とｂ*値がA1(53，23)、A2(54，24)、A3(57，26)、A4(58，28)、A5(60，31)、A6(61，35)、A7(62，36)、A8(62，37)、A9(61，43)、A10(60，45)、A11(59，47)、A12(58，50)、A13(56，53)、A14(53，57)、A15(53，100)、A16(100，100)、A17(100，0)、A18(53，0)の座標で囲まれるａ*ｂ*領域Ａに含まれ、かつ、Ｌ*値が３７以上となる。なお、A2〜A6、A8〜A13は図示を省略する。また、ａ*ｂ*領域Ａの点線は１８００Ｋから５０００Ｋの黒体放射の光で試験色Ｒ９の色票を照らしたときのａ*値とｂ*値の座標であり、１点鎖線は５０００Ｋから１００００ＫのＣＩＥ昼光で試験色Ｒ９の色票を照らしたときのａ*値とｂ*値の座標である。
【００１５】
より好ましくは、図２に示すように、光源18は、特殊演色評価用の試験色Ｒ９の色票を照らしたときのＬ*ａ*ｂ*表色系のａ*値とｂ*値がB1(62，36)、B2(62，37)、B3(61，43)、B4(60，45)、B5(59，47)、B6(58，50)、B7(56，53)、B8(53，57)、B9(93，100)、B10(100，100)、B11(100，58)の座標で囲まれるａ*ｂ*領域Ｂに含まれ、かつ、Ｌ*値が４４以上となる。なお、B2〜B7は図示を省略する。また、ａ*ｂ*領域Ｂの点線は１８００Ｋから３８００Ｋの黒体放射の光で試験色Ｒ９の色票を照らしたときのａ*値とｂ*値の座標である。
【００１６】
ａ*値は大きいほど赤系の色の彩度が向上し、ｂ*値は大きいほど黄系の色の彩度が向上し、つまり、ａ*値とｂ*値は原点から離れるほど彩度が向上する。ａ*ｂ*領域Ａおよびａ*ｂ*領域Ｂは赤色の彩度が黒体照射の光よりも高い光の領域である。
【００１７】
図３は、ａ*ｂ*領域Ａとａ*ｂ*領域Ｂとの関係を示す。ａ*ｂ*領域Ｂはａ*ｂ*領域Ａの一部であり、ａ*ｂ*領域Ａはａ*ｂ*領域Ｂを含んである。
【００１８】
さらに、光源18は、平均演色評価数Ｒａが８０以上（好ましくは９０以上）であり、相関色温度が３８００Ｋ以下である。
【００１９】
このような光源18の特性は、ＣＯＢモジュールの蛍光体層に含有する赤色蛍光体等の蛍光体の種類や配合によって調整することができる。
【００２０】
次に、光源18の実施例１について説明する。
【００２１】
図４は、実施例１の光源18の分光分布と比較例の光源の分光分布とを示す。また、図５は、実施例１の光源18の分光分布および比較例の光源の分光分布からそれぞれ計算した、特殊演色評価用の試験色Ｒ９の色票を照らしたときのＬ*ａ*ｂ*表色系のａ*値とｂ*値の座標を示す。
【００２２】
実施例１の光源18は、相関色温度が２７１１Ｋ、平均演色評価数Ｒａが９０．６、Ｇａが１００、Ｌ*が４９．１、ａ*が６２．６、ｂ*が４５．８である。そのため、実施例１の光源18は、ａ*ｂ*領域Ｂ（ａ*ｂ*領域Ａ）に含まれている。
【００２３】
比較例の光源は、例えば一般に市販されている高演色タイプの電球形ＬＥＤランプに用いられる光源であり、相関色温度が２６７３Ｋ、平均演色評価数Ｒａが９２．６、Ｇａが１００、Ｌ*が４８．０、ａ*が５５．６、ｂ*が４２．９である。そのため、比較例の光源は、ａ*ｂ*領域Ｂ（ａ*ｂ*領域Ａ）よりも、ａ*値およびｂ*値の原点に近い方向に外れている。
【００２４】
図４を見ると、実施例１は５３０ｎｍ付近の波長域が５７０ｎｍ付近の波長域よりも高くなっている。この結果は、ａ*ｂ*領域Ｂ（ａ*ｂ*領域Ａ）に含まれる条件を満たすａ*値とｂ*値を実現する分光分布の形状には、５３０ｎｍ付近の波長域と５７０ｎｍ付近の波長域との差が深く関係していることを示唆している。
【００２５】
したがって、実施例１の光源18は、Ｌ*ａ*ｂ*表色系のａ*値とｂ*値がａ*ｂ*領域Ａおよびａ*ｂ*領域Ｂに含まれており、比較例の光源よりも、赤色を高彩度に見せることができる。
【００２６】
次に、光源18の実施例２について説明する。
【００２７】
図６は、実施例２の光源18の分光分布と比較例の光源の分光分布とを示す。また、図７は、実施例２の光源18の分光分布および比較例の光源の分光分布からそれぞれ計算した、特殊演色評価用の試験色Ｒ９の色票を照らしたときのＬ*ａ*ｂ*表色系のａ*値とｂ*値の座標を示す。
【００２８】
実施例２の光源18は、相関色温度が２６９８Ｋ、平均演色評価数Ｒａが９２．８、Ｇａが１０９、Ｌ*が４９．５、ａ*が６２．７、ｂ*が４４．９である。そのため、実施例２の光源18は、ａ*ｂ*領域Ｂ（ａ*ｂ*領域Ａ）に含まれている。
【００２９】
比較例の光源は、上述したように、相関色温度が２６７３Ｋ、平均演色評価数Ｒａが９２．６、Ｇａが１００、Ｌ*が４８．０、ａ*が５５．６、ｂ*が４２．９である。
【００３０】
図６を見ると、実施例２は６３０ｎｍ付近の波長域（半値全幅２０ｎｍ）が比較例よりも多くなっている。この結果は、ａ*ｂ*領域Ｂ（ａ*ｂ*領域Ａ）に含まれる条件を満たすａ*値とｂ*値を実現する分光分布には、６３０ｎｍ付近の波長域が深く関係していることを示唆している。
【００３１】
したがって、実施例２の光源18は、Ｌ*ａ*ｂ*表色系のａ*値とｂ*値がａ*ｂ*領域Ａおよびａ*ｂ*領域Ｂに含まれており、比較例の光源よりも、赤色を高彩度に見せることができる。
【００３２】
なお、図８は、特殊演色評価用の試験色Ｒ９の色票の分光反射率を示す。
【００３３】
そして、本実施形態の光源18は、特殊演色評価用の試験色Ｒ９の色票を照らしたときのＬ*ａ*ｂ*表色系のａ*値とｂ*値がａ*ｂ*領域Ａまたはａ*ｂ*領域Ｂに含まれるため、赤色を高彩度に見せることが期待できる。
【００３４】
また、平均演色評価数Ｒａは、基準の光に対する忠実度を表す指標（上限値は１００）であるため、平均演色評価数Ｒａを指標にすると、基準の光よりも赤色の見え方を向上させる分光分布を設計することは困難であるが、Ｌ*ａ*ｂ*表色系のａ*値とｂ*値がａ*ｂ*領域Ａまたはａ*ｂ*領域Ｂに含まれるようにすることにより、基準の光よりも赤色の見え方を向上させる分光分布を設計することが容易にできる。
【００３５】
なお、ここでいう基準の光とはＪＩＳ Ｚ ８７２６−１９９０記載の基準の光と同義である。
【００３６】
また、光源18は、平均演色評価数Ｒａが８０以上（好ましくは９０以上）でもあるため、高演色性を有し、赤色の見え方をよくできる。
【００３７】
また、光源18は、相関色温度が３８００Ｋ以下であることにより、赤色の見え方をよくできる。
【００３８】
本発明のいくつかの実施形態を説明したが、これらの実施形態は、例として提示したものであり、発明の範囲を限定することは意図していない。例えば、光源として、ＳＭＤ（Surface Mount Device）タイプのＬＥＤや有機ＥＬ等の発光素子を用いてもよい。各光源における光色実現方法は、青色光源＋蛍光体、青色光源＋蛍光体＋赤光源、青色光源＋蛍光体＋緑光源、青色光源＋蛍光体＋青光源、赤光源＋緑光源＋青光源、紫外線（近紫外線も含む）＋蛍光体、２種類以上の白色光源＋赤光源、２種類以上の白色光源＋緑光源、２種類以上の白色光源＋青光源、２種類以上の白色光源＋赤光源＋緑光源、２種類以上の白色光源＋赤光源＋青光源、２種類以上の白色光源＋緑光源＋青光源、２種類以上の白色光源＋赤光源＋緑光源＋青光源、熱放射等がある。
【００３９】
これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
10    照明装置
11    本体
12    光源装置
18    光源
【図１】
2016173949.tif 000003
【図２】
2016173949.tif 000004
【図３】
2016173949.tif 000005
【図４】
2016173949.tif 000006
【図５】
2016173949.tif 000007
【図６】
2016173949.tif 000008
【図７】
2016173949.tif 000009
【図８】
2016173949.tif 000010
【図９】
2016173949.tif 000011